(57)【要約】【課題】叩解機を可変速化することでエネルギー損失が少なく、品質の高いパルプを生産することができるパルプ液叩解装置を提供する。【解決手段】流送チェスト１より供給されるパルプ液を、叩解機ディスクを備えた叩解機９により叩解し、その叩解されたパルプ液を受チェスト２へ供給し、叩解機９へ供給されるパルプ液の濃度を濃度計７で測定し、その測定濃度が設定値になるようにパルプ液に希釈水を注入制御するパルプ液叩解装置において、叩解機９から受チェスト２に送られる流量を流量計１１で測定し、その流量に応じて叩解機ディスク回転用電動機１３の速度を調節する可変速制御器２１を設け、フリーネス計１２で計測した叩解後のパルプ液のフリーネスに応じて叩解機ギャップ調節用電動機１４を連続的に正転、逆転をすることで、叩解機ディスクの間隔を調整する。【選択図】  図１
2006063490.tif 000002
【特許請求の範囲】
【請求項１】
流送チェストより供給されるパルプ液を、叩解機ディスクを備えた叩解機により叩解し、その叩解されたパルプ液を受チェストへ供給し、前記叩解機へ供給されるパルプ液の濃度を濃度計で測定し、その測定濃度が設定値になるようにパルプ液に希釈水を注入制御するパルプ液叩解装置において、
前記叩解機から前記受チェストに送られる流量に応じて叩解機ディスク回転用電動機の速度を調節するための可変速制御器と、
叩解したあとのフリーネスに応じて前記叩解機ディスク間のギャップを変更する可逆可変速制御器と
を備えたことを特徴とするパルプ液叩解装置。
【発明の詳細な説明】
【技術分野】
【０００１】
本発明は、流送チェストから送られたパルプ液を叩解機で叩解し、受チェストへ供給するパルプ液叩解装置に関する。
【背景技術】
【０００２】
図４に従来の叩解装置を示す。流送チェスト１よりパルプ液は流送ポンプ３によって叩解機９に供給される。この叩解機９でパルプ液は叩解され、受チェスト２に送られる。流送チェスト１から送られるパルプ液の圧力を調節するために圧力調節計４が設けられている。この圧力調節計４の指令にしたがって圧力調節弁５が作動し、パルプ液の一部を流送チェスト１に返す。流送チェスト１の出側には濃度計７が配置され、その検出信号で濃度調節計６を作動させて希釈水管８の調節弁を開き、希釈水（図示せず）を混入してパルプ液の濃度を調節する。
【０００３】
叩解機９の出側には流量計１１が配置され、流量調節計１０が流量調節弁２５を制御する。その流量計１１の下流にフリーネス計１２がある。このフリーネス計１２はパルプ液の中にある紙の繊維のフリーネス（叩解度）を検出している。流量計１１とフリーネス計１２の各出力はフリーネス／電力変換器２３に入力され、ここで、パルプ液を叩解するための負荷、つまり叩解機ディスク回転用電動機１３の電力を決める。通常、パルプ液の流量が一定のとき、ギャップ間隔を縮めると叩解機ディスク回転用電動機１３の負荷は増える。この負荷、すなわち電力を維持するために、ギャップ制御器１８は、フリーネス／電力変換器２３からの指令と叩解機ディスク回転用電動機１３の電力演算値をもとに正転用接触器１９または逆転用接触器２０を作動させ、叩解機ギャップ調節用電動機１４を正転または逆転させることで、叩解機ディスクの間隔を調整する。なお、叩解機ディスク回転用電動機１３の電力演算値は、変圧器１５で検出された電圧値と、変流器１６で検出した電流値を電力演算器１７で積算することにより演算している。このようにして電力を制御することで、フリーネスを一定にしている。
【０００４】
図４の従来例と同様なパルプ液叩解装置としては、例えば、特許文献１に開示されたものがある。
このようにして、従来のパルプ液叩解装置は、パルプ液を叩解している。
なお、叩解機におけるパルプ液をすり潰す機構については、例えば特許文献２に開示されたものがある。
【０００５】
【特許文献１】特開平９−１７６９８０号公報
【特許文献２】特開平１１−１１７１８３号公報
【発明の開示】
【発明が解決しようとする課題】
【０００６】
以上に述べたように、従来のパルプ液叩解装置は、フリーネスを一定にするために叩解機ギャップ調節用電動機１４を用いて叩解機９のディスクの間隔を調整している。このとき、叩解機ディスク回転用電動機１３は流量に関係なく一定回転数で運転されており、回転数を変えることができないため、常に回転数の高い状態であり、機械損失が大きいという問題があった。また、叩解機出口の流量調節弁２５で流量を制御しているために、流体損失が発生する。さらに叩解度を一定にするためディスクの間隔を調整しているが、流量が少なくなった場合、ディスク間隔が最小となって叩解度が制限され、所定の叩解度が得られない。また、ディスク間隔を、叩解機ギャップ調節用電動機１４を正転／逆転させるオン・オフ制御で調節しているため、制御のヒステリシスが必要となって、連続的に間隔を制御できないという問題もある。
本発明はこのような問題点に鑑みてなされたものであり、叩解機のディスク回転を流量に応じて変更するとともにフリーネスに応じてディスク間隔を連続的に変更し、叩解機出側の流量調節弁を排除し、機械損失ならびに流体損失を減少することができるパルプ液叩解装置を提供することを目的とする。
【課題を解決するための手段】
【０００７】
上記問題を解決するため、本発明は、流送チェストより供給されるパルプ液を、叩解機ディスクを備えた叩解機により叩解し、その叩解されたパルプ液を受チェストへ供給し、前記叩解機へ供給されるパルプ液の濃度を濃度計で測定し、その測定濃度が設定値になるようにパルプ液に希釈水を注入制御するパルプ液叩解装置において、前記叩解機から前記受チェストに送られる流量に応じて叩解機ディスク回転用電動機の速度を調節するための可変速制御器と、叩解したあとのフリーネスに応じて前記叩解機ディスク間のギャップを変更する可逆可変速制御器とを備えたものである。
本発明においては、叩解機ディスク回転用電動機ならびに叩解機ギャップ調節用電動機の回転数を自由に変更できる機能を備えたことにより、叩解機ディスク回転用電動機ならびに叩解機ギャップ調節用電動機を可変速化し、それらの制御を、前者は流量に応じて、後者はフリーネスに応じて制御する。
【発明の効果】
【０００８】
本発明によると、パルプ液の流量によってディスク回転数を変更することにより、機械損失を減少することができる。また、従来において用いられていた流量調節弁を省略することで流体損失を減少させることができ、フリーネスを正確に連続的に制御することができる。
【発明を実施するための最良の形態】
【０００９】
以下、本発明の実施の形態について図を参照して説明する。
図１は、本発明の実施の形態に係るパルプ液叩解装置の構成図である。本実施の形態が、図４に示した従来例と異なる部分は、叩解機ディスク回転用電動機１３ならびに叩解機ギャップ調節用電動機１４の回転数を自由に変更できる可変速制御器２１と可逆可変速制御器２２、フリーネス調節計２４を備え、変圧器１５、変流器１６、電力演算器１７、ギャップ制御器１８、正転用接触器１９、逆転用接触器２０、フリーネス／電力変換器２３、流量調節弁２５をなくしたことである。その他の構成は、図４と同様であるので同一の符号を付して説明を省略する。
【００１０】
図１において、パルプ液は、流送チェスト１より流送ポンプ３によって叩解機９に供給される。この叩解機９でパルプ液は叩解され、受チェスト２に送られる。流送チェスト１から送られるパルプ液の圧力を調節するために圧力調節計４が設けられている。この圧力調節計４の指令にしたがって圧力調節弁５が作動し、パルプ液の一部を流送チェスト１に返す。流送チェスト１の出側には濃度計７が配置され、その検出信号で濃度調節計６を作動させて希釈水管８の調節弁を開き、希釈水（図示せず）を混入してパルプ液の濃度を調節する。
【００１１】
叩解機９の出側には流量計１１が配置され、流量調節計１０が可変速制御器２１を制御する。可変速制御器２１は叩解機ディスク回転用電動機１３の回転数を流量に応じて変更することができる。
また、流量計１１の下流にフリーネス計１２が設けられている。このフリーネス計１２の検出信号は、フリーネス調節計２４に出力される。このフリーネス調節計２４の信号をもとに、可逆可変速制御器２２は叩解機ギャップ調節用電動機１４を連続的に正転、逆転をすることで叩解機ディスクの間隔を調整する。
以上のように、本実施の形態においては、叩解機ディスク回転用電動機１３ならびに叩解機ギャップ調節用電動機１４を可変速化したので、パルプ液の流量によりディスク回転数を変更することができ、それにより機械損失を減少することができる。また、流量調節弁２５を省略することで流体損失を減少させることができ、フリーネスを正確に連続的に制御することができる。
図２および図３は、本実施の形態による叩解機の、最小ギャップ、最大流量における負荷特性の一例を示すもので、図２はトルク特性、図３は出力特性を表している。図２に示すように、トルク特性は、回転数Ｎが０〜５０％までは一定で、５０％を超えると回転数に比例して上昇する。また、図３に示すように、出力特性は、回転数Ｎが０〜５０％までは回転数Ｎに比例し、５０％を超えるとＮ2に比例して上昇する。したがって、回転数Ｎが５０％以上の範囲では、回転数Ｎを５％下げるだけで出力Ｐが１０％下がり、省エネルギーを図ることができる。
【産業上の利用可能性】
【００１２】
本発明は、叩解機のディスク回転を流量に応じて変更するとともにフリーネスに応じてディスク間隔を連続的に変更し、叩解機出側の流量調節弁を排除し、機械損失ならびに流体損失を減少することができるパルプ液叩解装置として、パルプ製造分野において好適に利用することができる。
【図面の簡単な説明】
【００１３】
【図１】本発明の実施の形態を示すパルプ液叩解装置の構成図である。
【図２】本発明の実施の形態によるトルク特性の一例を示すグラフである。
【図３】本発明の実施の形態による出力特性の一例を示すグラフである。
【図４】従来のパルプ液叩解装置の構成図である。
【符号の説明】
【００１４】
１  流送チェスト
２  受チェスト
３  流送ポンプ
４  圧力調節計
５  圧力調節弁
６  濃度調節計
７  濃度計
８  希釈水管
９  叩解機
１０  流量調節計
１１  流量計
１２  フリーネス計
１３  叩解機ディスク回転用電動機
１４  叩解機ギャップ調節用電動機
２１  可変速制御器
２２  可逆可変速制御器
２４  フリーネス調節計
【図１】
2006063490.tif 000003
【図２】
2006063490.tif 000004
【図３】
2006063490.tif 000005
【図４】
2006063490.tif 000006